(57)【要約】【課題】作業の自動化が可能で、良好な切断面が得られ、ゴミの発生量が少ない切断装置を提供する。【解決手段】切断装置１は、超音波カッター２を移動させる移動手段３,４と、多層フィルムｆを挟持しながら超音波カッター２と一緒に移動し、多層フィルムｆの切断箇所に張力を付与する張力付与手段５とを備えている。張力付与手段５は、多層フィルムｆを挟持する表裏一対のガイドプレート７,８と、これらガイドプレート７,８に形成されて超音波カッター２の刃２ａを挿通するスリット９とを備えている。【選択図】図１
2008126368.tif 000002
【特許請求の範囲】
【請求項１】
フィルム又はシートを超音波カッターで切断する装置であって、超音波カッターを移動させる移動手段と、フィルム又はシートを挟持しながら超音波カッターと一緒に移動し、フィルム又はシートの切断箇所に張力を付与する張力付与手段とを備えたことを特徴とする切断装置。
【請求項２】
張力付与手段は、フィルム又はシートを挟持する表裏一対のガイドプレートと、これらガイドプレートに形成されて超音波カッターの刃を挿通するスリットとを備えたことを特徴とする請求項１に記載の切断装置。
【請求項３】
超音波カッターの移動方向に沿って延びるスリットの略半分をガイドプレートのそれぞれに形成するとともに、これらガイドプレートのスリット一端側の端部を接合してスリットを形成し、表側のガイドプレートはスリット他端側へ向かって立ち上がる傾斜部をスリットの側方に形成する一方、裏側のガイドプレートはスリット他端側へ向かって立ち下がる傾斜部をスリットの側方に形成し、両方のガイドプレートのスリット他端側には、スリットの側縁から両側に延出してフィルム又はシートを挟持する挟持部を形成したことを特徴とする請求項２に記載の切断装置。
【発明の詳細な説明】
【技術分野】
【０００１】
本発明は、フィルム又はシートを超音波カッターで切断する装置であって、多層のフィルム・シート及び接着層を含むフィルム・シートの切断に好適な装置に関する。
【背景技術】
【０００２】
従来、多層のフィルム・シート及び接着層を含むフィルム・シートの切断は、鋏やカッターナイフ等を用いて手作業で行っていた。
【発明の開示】
【発明が解決しようとする課題】
【０００３】
しかし、手作業での切断は手間を要し、省力化の妨げとなる。さらに、切断面が良好でなく、割れや剥がれが生じ易く、ごみの発生量が多いという問題もある。
【０００４】
本発明は、このような事情に鑑み、作業の自動化が可能で、良好な切断面が得られ、ゴミの発生量が少ない切断装置を提供することを目的とする。
【課題を解決するための手段】
【０００５】
上記課題を解決するための本発明は、フィルム又はシートを超音波カッターで切断する装置であって、超音波カッターを移動させる移動手段と、フィルム又はシートを挟持しながら超音波カッターと一緒に移動し、フィルム又はシートの切断箇所に張力を付与する張力付与手段とを備えたことを特徴とする。
【０００６】
張力付与手段は、フィルム又はシートを挟持する表裏一対のガイドプレートと、これらガイドプレートに形成されて超音波カッターの刃を挿通するスリットとを備えたものであるのが好ましい。
【０００７】
張力付与手段は、超音波カッターの移動方向に沿って延びるスリットの略半分をガイドプレートのそれぞれに形成するとともに、これらガイドプレートのスリット一端側の端部を接合してスリットを形成し、表側のガイドプレートはスリット他端側へ向かって立ち上がる傾斜部をスリットの側方に形成し、裏側のガイドプレートはスリット他端側へ向かって立ち下がる傾斜部をスリットの側方に形成し、両方のガイドプレートのスリット他端側には、スリットの側縁から両側に延出してフィルム又はシートを挟持する挟持部を形成してあるのが好ましい。
【発明の効果】
【０００８】
本発明によれば、張力付与手段がフィルム又はシートに張力を付与し、その状態で超音波カッターがフィルム又はシートを切断していくので、作業の自動化が可能になるばかりでなく、割れや剥がれのない良好な切断面が得られ、ゴミの発生量が少なくなる。
【発明を実施するための最良の形態】
【０００９】
以下、本発明の実施形態を添付図面に基づいて詳細に説明する。
図１は本発明の切断装置１を示している。
この切断装置１は、図示しない巻き出しロールから繰り出される多層フィルムｆを超音波カッター２で幅方向に切断するものであって、移動体３を水平方向に配置されたガイドレール４で案内しながら移動させるように構成してある。超音波カッター２と張力付与手段５はブラケット６を介して移動体３に固定してある。
【００１０】
張力付与手段５は、表裏一対のガイドプレート７,８で多層フィルムｆを挟持して張力を付与するものである。両方のガイドプレート７,８は、矩形プレートを切り欠いて、超音波カッター２の移動方向に沿って延びるスリット９の略半分９ａ,９ｂと、スリット９の略半分９ａ,９ｂの一端から端縁に達する直線部１０ａ,１０ｂを形成してある（図４参照）。そして、両方のガイドプレート７,８の直線部１０ａ,１０ｂを突き合せて溶接接合してスリット９を形成してある。超音波カッター２の刃２ａはスリット９の他端部に挿入してある。
【００１１】
表側のガイドプレート７はスリット他端側へ向かって立ち上がる傾斜部１１をスリット９の側方に形成してある。一方、裏側のガイドプレート８はスリット他端側へ向かって立ち下がる傾斜部１２をスリット９の側方に形成してある。さらに、両方のガイドプレート７,８のスリット他端側には、スリット９の側縁から両側に延出して多層フィルムｆを挟持する挟持部１３,１４を形成してある。また、両方のガイドプレート７,８はスリット他端側の端縁をそれぞれ上下方向に湾曲させることで、多層フィルムｆの挟持部１３,１４への進入をガイドする進入ガイド部１５,１６を形成してある。なお、表側のガイドプレート７の挟持部１３にブラケット６の下端を溶接接合してある。
【００１２】
次に、この切断装置１の動作について説明する。
まず、多層フィルムｆの端縁をガイドプレート７,８の進入ガイド部１５,１６から挟持部１３,１４の間に押し込み、その後、超音波カッター２を作動させながら移動体３をガイドレール４に沿って矢印方向に移動させる。すると、多層フィルムｆが挟持部１３,１４で挟持されて張力が付与され、その状態で超音波カッター２が多層フィルムｆを切断していく。切断後の多層フィルムｆは、超音波カッター２の進行方向に向かって切断面ｃよりも右側の部分ｆａがガイドプレート８の上面側に接するのに対し、同左側の部分ｆｂはガイドプレート７の下面側に接することになる。つまり、多層フィルムｆは張力が付与された状態で切断されていくので、割れや剥がれのない良好な切断面が得られる。また、切断された多層フィルムｆは、傾斜部１１,１２を通過した後、ガイドプレート７,８のそれぞれ下側と上側に分離されるので、切断面ｃ同士の再接合を防止することができる。
【００１３】
なお、この切断装置１は、多層フィルムｆ以外のフィルムの他に、各種材料よりなるシートの切断に使用できることは言うまでもない。
【００１４】
また、張力付与手段５は、板金加工された一対のプレートを接合した構造であるので、製作コストが安価で済むという利点があるが、必ずしもこれに限定されるものではない。例えば、磁化したプレートで多層フィルムｆを挟持するようにしてもよい。
【産業上の利用可能性】
【００１５】
本発明の切断装置は、多層のフィルム又はシート、接着層を含むフィルム又はシート、その他各種のフィルム又はシートの切断に使用できる。
【図面の簡単な説明】
【００１６】
【図１】本発明の切断装置を示す斜視図。
【図２】同切断装置の張力付与手段の平面図。
【図３】図２の側面図。
【図４】張力付与手段を構成する各ガイドプレートを示す平面図。
【図５】図２のＡ−Ａ線断面図。
【図６】図２のＢ−Ｂ線断面図。
【図７】図２のＣ−Ｃ線断面図。
【符号の説明】
【００１７】
１      切断装置
２      超音波カッター
３      移動体
４      ガイドレール
５      張力付与手段
６      ブラケット
７      ガイドプレート
８      ガイドプレート
９      スリット
【図１】
2008126368.tif 000003
【図２】
2008126368.tif 000004
【図３】
2008126368.tif 000005
【図４】
2008126368.tif 000006
【図５】
2008126368.tif 000007
【図６】
2008126368.tif 000008
【図７】
2008126368.tif 000009